(57)【要約】      （修正有）【課題】ベッドや車椅子等から座った状態で容易に移乗出来、安全に座接して目的の場所や浴室等に自力又は介護人の助けにより移動出来て便座の傾斜に合わせて傾斜出来る横乗り可能な車椅子補助具を提供する。【解決手段】キャスタ５を有する下部フレーム６より立ち上がる高さを調整させる４本上下動支持棒体７とその頂部には座接用板材８が設けられ、その側面には回動可能な又は固定式の肘置きハンドル体１が設けられている。この肘置きハンドル体１を下方に回動することにより使用者は座接用板材８の板材９上に座接出来る。また、４本の手持ちハンドル２，１１により安全に移動出来る。【選択図】図１
0003217185.tif 000002
【実用新案登録請求の範囲】
【請求項１】
ベッドや車椅子等から座接状態で容易に移動出来ると共に自身又は介護人によりトイレや浴室に移動出来、トイレでの温水洗浄や浴室でのシャワーを気兼ねなく身体の隅々まで洗うことが出来る車椅子補助具であって、該車椅子補助具は、四隅にキャスタを有する下部フレームと、該下部フレームから使用者の腰部の挿入可能な高さまで伸縮自在に伸延すると共に便座の傾斜に合わせて高さを変化させるべく形成される上下動支持棒体と、該上下動支持棒体の頂部に搭載され使用者の尻部の嵌り込み可能な貫通孔を有する座接用板材と、該座接用板材の左右端に回動可能に又は固定されて立ち上がり座接した使用者の肘部の保持体と安全保持用の手持ちハンドルとを設ける肘置きハンドル体と、前記座接用板材の後部に設けられ使用者の背部を保持すると共にその頂部に手持ちハンドルを設ける脊当て部とからなり、前記座接用板材の上面には尻部の嵌り込み可能な貫通孔又は尻部の露出可能な貫通孔を開孔する平坦な板材が必要時において夫々搭載されることを特徴とする横乗り可能な車椅子補助具。
【請求項２】
前記肘置きハンドル体の左右の手持ちハンドルは肘部の前記保持部の先端位置から立ち上がった立ち上がり部に設けられると共に左右の手持ちハンドルには着脱可能に連結する保持用棒体が設けられると共に前記肘置きハンドル体には立ち上がり位置を固持する固持具が着脱可能に設けられることを特徴とする請求項１に記載の横乗り可能な車椅子補助具。
【考案の詳細な説明】
【技術分野】
【０００１】  本考案はベッドや車椅子等から容易に横乗り出来、トイレや浴室に座接状態で自力又は介護人の補助により行く事が出来、温水洗浄やシャワーによって身体の隅々まで洗うことが出来る横乗り可能な車椅子補助具に関する。
【背景技術】
【０００２】  自力や又は介護人の助けにより座接状態でトイレや浴室等に行って用便したり身体を洗浄したり出来る車椅子的の介護用補助具としては各種のものがあるが本考案に似ている従来技術として「特許文献１」の介護用補助機が開示されている。
【先行技術文献】
【特許文献】
【０００３】
【特許文献１】実用新案登録第３２０９１８６号（図１）  「特許文献１」の「実用新案登録第３２０９１８６号」の「多機能在宅介護用補助機」はキャスタ付の下部枠体と、該下部板体のほぼ中間位置から立ち上がる摺動支持棒体と、該摺動支持棒体の上部に水平方向に向かって固定される上部棒体と、前記摺動支持棒体の中間部に水平に張り出して固定され貫通孔を有する板体と、前記板支持材の後部に固定される背当て用部材とを有するものからなる。【０００４】  「特許文献１」の「多機能在宅介護用補助機」は前記のような構造からなり自身の歩行によりトイレや浴室等に行って用便や洗浄をすることが出来るもので機能としては本考案と類似する点もあるが本考案は横開きが可能でベッドや車椅子からの移動が容易に出来、手持ちハンドルが前後に有り、安全であり、全体がコンパクトに形成されている点において「特許文献１」とは大きく相異するものである。
【考案の概要】
【考案が解決しようとする課題】
【０００５】  介護用の車椅子状の補助機としてはベッドや車椅子からの移乗が容易であることや安全性が有り、トイレの便器にもそのまま容易に挿入出来、快適な用便や洗浄の出来る補助具が要請される。【０００６】  本考案は以上の要請に鑑みて考案されたものであり、ベッドや車椅子からの移乗が容易に出来、安全性も高く、自力又は介護人の補助により移動が容易であり、コンパクトに形成される横乗り可能な車椅子補助具を提供することを目的とする。
【課題を解決するための手段】
【０００７】  本考案は以上の目的を達成するために請求項１の考案は、ベッドや車椅子等から座接状態で容易に移動出来ると共に自身又は介護人によりトイレや浴室に移動出来、トイレでの温水洗浄や浴室でのシャワーを気兼ねなく身体の隅々まで洗うことが出来る車椅子補助具であって、該車椅子補助具は、四隅にキャスタを有する下部フレームと、該下部フレームから使用者の腰部の挿入可能な高さまで伸縮自在に伸延すると共に便座の傾斜に合わせて高さを変化させるべく形成さらる上下動支持棒体と、該上下動支持棒体の頂部に搭載され使用者の尻部の嵌り込み可能な貫通孔を有する座接用板材と、該座接用板材の左右端に回動可能に又は固定されて立ち上がり座接した使用者の肘部の保持体と安全保持用の手持ちハンドルとを設ける肘置きハンドル体と、前記座接用板材の後部に設けられ使用者の背部を保持すると共にその頂部に手持ちハンドルを設ける脊当て部とからなり、前記座接用板材の上面には尻部の嵌り込み可能な貫通孔又は尻部の露出可能な貫通孔を開孔する平坦な  板材が必要時において夫々搭載されることを特徴とする。【０００８】  また、請求項２の考案は、前記肘置きハンドル体の左右の手持ちハンドルは肘部の前記保持部の先端位置から立ち上がった立ち上がり部に設けられると共に左右の手持ちハンドルには着脱可能に連結する保持用棒体が設けられると共に前記肘置きハンドル体には立ち上がり位置を固持する固持具が着脱可能に設けられることを特徴とする。
【考案の効果】
【０００９】  本考案の請求項１の横乗り可能な車椅子補助具によれば、上下動支持棒体が四隅にあるために座接用板材を傾斜状態にすることが出来ると共に高さを均一にすることにより座接用板材を水平に保持することが出来、最大の特徴として肘置きハンドル体を垂直の状態から回動して下方に倒すことにより横面が開放され、ベッドや車椅子等から座接用板材に簡単に、また容易に移動して座接することが出来る点にある。また、板材を搭載することによりトイレや浴室で用便やシャワーによる洗浄が容易に出来る特徴がある。また、背当て部や肘置きハンドル体による肘置きや手持ちハンドルにより安全移動が出来る。また、全体がコンパクトな構造からなり、便器への挿入が容易に出来る。また、板材に貫通孔があり、温水洗浄が出来、他人にお尻を拭いて貰う必要がなく、本人の尊厳を守ることが出来、清潔さを保ってかぶれ等の発生も防止することが出来る。
以上により介護人の負担の軽減にも貢献できる。【００１０】  また、請求項２の横乗り可能な車椅子補助具によれば、四隅に手持ちハンドルが有り、安全移動が出来ると共に前側の手持ちハンドルに補助用棒体が架設されているため安全性の確保が出来る。また、肘置きハンドル体は固定具により固持されるため肘置きや横方向への移動保持が出来、安全性の確保が図れる。
【図面の簡単な説明】
【００１１】
【図１】本考案の全体構造を示す写真。
【図２】本考案の全体構造の側面を示す写真。
【図３】肘置きハンドル体を倒した状態の本考案の全体構造を示す写真。
【図４】肘置きハンドル体を倒した状態の本考案の全体構造を示す写真。
【図５】使用される便器を示す写真。
【図６】本考案の全体構造の底面図（トイレ用の板材を搭載したもの）。
【図７】本考案の全体構造の上面図（シャワーでの洗浄用の板材を搭載したもの）。
【図８】肘置きハンドル体の固持具を示す部分写真。
【考案を実施するための形態】
【００１２】  以下、本考案の横乗り可能な車椅子補助具の実施の形態を図面を参照して詳述する。
【実施例１】
【００１３】  図１及び図３は図５に示す便器２００に本考案の横乗り可能な車椅子補助具１００を挿入した使用状態を示す。また、便器２００は使用時に縁部２００ａの部分に尻部が当接することにより温水洗浄が可能に作られている。なお、便座は前後が同一高さ位置にあるものの他後側が高く（一例として３．５ｃｍ）傾斜しているものがある。このため座接用板材８は上下動支持棒体７により高さを変えて便座の傾斜と合わせることが出来る。また、図１は肘置きハンドル体１が垂直に立ち上がった使用時の状態を示し、図３に肘置きハンドル体１が下方に垂下した状態を示すものでベッドや車椅子等から使用者が座接状態に移乗する時の横乗り可能な車椅子補助具１００の使用状態を示すものである。また、図１及び図３は肘置きハンドル体１が左側のみ回動出来るものからなり右側は固定式のものからなる。勿論左右とも回動出来るものでもよいが一方のみで座接位置に移動出来るため左側のみを回動可能のものに形成されている。また、図１，図２，図３，図４，図６，図７は本考案の横乗り可能な車椅子補助具１００の全体構造を示すものであり以下、これ等の図面（写真）を用いて本考案の横乗り可能な車椅子補助具１００の構造を説明する。【００１４】  横乗り可能な車椅子補助具１００はキャスタ５を四隅に配置している左右の下部フレーム６と、下部フレーム６の後方位置から立ち上がる上下動支持棒体７と、４本の上下動支持棒体７の頂部に搭載され図６に示すように尻部の嵌り込む貫通孔８ａを有する座接用板材８と、座接用板材８の上面に搭載される平坦な板材９と、座接用板材８の左右端に回動可能に又は固定されて配設される肘置きハンドル体１と座接用板材８の後部に立ち上がって設けられ使用者の背部が当接する背当て部１０等とから構成される。
以下、構成部材の詳細構造を説明する。【００１５】  キャスタ５を下方に設ける左右の下部フレーム６はクロスメンバ１２により補強されている。上下動支持棒体７は下方に設けられているナット７ａを廻すことにより高さ調節が可能に形成される。なお、調整後は止め具７ｂにより高さを固定される。【００１６】  座接用板材８は４本の上下動支持棒体７の上部に固定されるプレート状のものからなり図６に示すように使用者の尻部の嵌り込む貫通孔８ａが形成されている。板材９は本実施例では平坦な木材からなり図６や図７等に示すように貫通孔９ａ，９ｂが開孔しているものからなる。板材９は用便用の場合と浴室におけるシャワーにより洗浄時に使用するもので図６に示す板材９の貫通孔９ａは尻部の嵌り込み可能な大きさからなり図７に示す板材９はシャワーによる洗浄時に示すもので尻部の露出可能な大きさの貫通孔９ｂが設けられている。【００１７】  肘置きハンドル体１は図４等に示すように下部フレーム６から立ち上がる上下動支持棒体７の上部に設けられるピン支持部１ａと、ピン支持部１ａに連結される板体１ｂ（なお左側の固定式のものはピン支持部１ａがなく上下動支持棒体７に基端部を固定する板体１ｂからなる）と、板体１ｂの頂部に固定され使用者の肘部を肘置きする保持体１ｃと、板体１ｂ前端に基端側を固定して立ち上がる部材１ｄと、この頂部に固定される安全保持用の手持ちハンドル２とを有するものからなり、左右の手持ちハンドル２，２には位置保持用の保持用棒体３が着脱可能に架設される。
また、肘置きハンドル体１の回動式のものには図８に示す固持具４が設けられ、立ち上がる位置に固定されるように形成される。【００１８】  また、座接用板材８の後部には使用者の背部に当接する背当て保持板１０ａを有する背当て部１０が設けられ、脊当て部１０の頂部には介護人が使用する手持ちハンドル１１が設けられている。【００１９】  以上の構造の横乗り可能な車椅子補助具１００により、まず板材９を自分の背丈に合わせた後、便座の傾斜に合わせて上下動支持棒体７の高さを変化させて座接用板材８を傾斜させる。使用者は肘置きハンドル体１を図３及び図４に示すように板体１ｂの下方に倒した状態でベッドや車椅子等から座接用板材８の板材９の上面に座接移動して座接することが出来る。また、前側の手持ちハンドル２を把持し肘置きハンドル体１に肘部を肘置きし背面を背当て部１０に当接した状態でトイレや浴室等に移動し、用便やシャワーによる洗浄等を行うことが出来る。【００２０】  本考案は以上の説明の内容からなるがこの内容に限定するものではなく同一技術的範疇のものが適用されることは勿論である。
【産業上の利用可能性】
【００２１】  本考案の横乗り可能な車椅子補助具１００は用便やシャワーによる洗浄のみに使用されるだけではなく、座接して目的地まで移動して色々の目的を果すことにも使用出来、その利用範囲は極めて広い。
【符号の説明】
【００２２】１        肘置きハンドル体
１ａ      ピン支持部
１ｂ      板体
１ｃ      保持体
１ｄ      部材
２        手持ちハンドル
３        保持用棒体
４        固定具
５        キャスタ
６        下部フレーム
７        上下動支持棒体
７ａ      ナット
７ｂ      止め具
８        座接用板材
８ａ      貫通孔
９        板材
９ａ      貫通孔
９ｂ      貫通孔
１０      背当て部
１０ａ    背当て保持板
１１      手持ちハンドル
１２      クロスメンバ
１００    横乗り可能な車椅子補助具
２００    便器
２００ａ  縁部
【図１】
0003217185.tif 000003
【図２】
0003217185.tif 000004
【図３】
0003217185.tif 000005
【図４】
0003217185.tif 000006
【図５】
0003217185.tif 000007
【図６】
0003217185.tif 000008
【図７】
0003217185.tif 000009
【図８】
0003217185.tif 000010